(57)【要約】【課題】トイレ空間における空間の自由度の向上を維持しつつ、非常に施工性に優れ、使い勝手も合わせて向上した便器装置を提供することである。【解決手段】ボウル部の上部に前記ボウル部へ洗浄水を吐出する吐出口を有する便器本体と、前記便器本体の側方の床面に配設され前記洗浄水を供給する洗浄水供給手段と、前記便器本体の後部側方に設けた洗浄水給水部と前記洗浄水供給手段とを連絡する洗浄水供給管と、を備えた便器装置であって、前記洗浄水供給手段が前記便器本体へ洗浄水を圧送する圧送手段を備えることを特徴とする。【選択図】　図１
2004060199.tif 000002
【特許請求の範囲】
【請求項１】
ボウル部の上部に前記ボウル部へ洗浄水を吐出する吐出口を有する便器本体と、前記便器本体の側方の床面に配設され前記洗浄水を供給する洗浄水供給手段と、前記便器本体の後部側方に設けた洗浄水給水部と前記洗浄水供給手段とを連絡する洗浄水供給管と、を備えた便器装置であって、
前記洗浄水供給手段が前記便器本体へ洗浄水を圧送する圧送手段を備えることを特徴とする便器装置。
【請求項２】
ボウル部の上部に前記ボウル部へ洗浄水を吐出する吐出口を有する便器本体と、前記便器本体の側方の床面に配設され前記洗浄水を供給する洗浄水供給手段と、前記便器本体の後部側方に設けた洗浄水給水部と前記洗浄水供給手段とを連絡する洗浄水供給管と、を備えた便器装置であって、
前記洗浄水供給手段を床面に配設するための床面設置部を備え、この床面設置部の上に前記洗浄水供給手段を載設することを特徴とする便器装置。
【請求項３】
前記洗浄水供給管は隠蔽部材により隠蔽され、前記隠蔽部材の高さ寸法が前記便器本体の高さ寸法とほぼ同一であることを特徴とする請求項１または２記載の便器装置。
【請求項４】
前記吐出口が前記ボウル部の後部で略水平方向に洗浄水を吐出するように設けられていることを特徴とする請求項１乃至３いずれかに記載の便器装置。
【請求項５】
前記吐出口と前記洗浄水給水部とを別部材で構成する通水管で連絡することを特徴とする請求項１乃至４いずれかに記載の便器装置。
【請求項６】
前記洗浄水供給管が前記洗浄水給水部側、又は前記洗浄水供給手段側に傾斜していることを特徴とする請求項１記載の便器装置。
【請求項７】
前記洗浄水供給管が前記洗浄水給水部側が下方位置となるように傾斜していることを特徴とする請求項２記載の便器装置。
【発明の詳細な説明】
【０００１】
【発明の属する技術分野】
本発明は、便器本体の側方に離間配置された便器本体とは別体の洗浄水供給手段から洗浄水を供給する便器装置に関する。
【０００２】
【従来の技術】
従来、便器本体の側方に離間配置された洗浄タンクから洗浄水を供給する便器装置として特開平７−９０９０２に示すものがある。
この公開特許は図１２に示すように、腰かけ式大便器Ａの側方にある壁体Ｃに、手洗い付きロータンクＢの一部を壁体Ｃに埋設した状態で取付けられている。そして、手洗い付きロータンクＢの底部の排水口（図示しない）に接続され壁体Ｃ内に埋設した吐出管Ｄと腰かけ式大便器Ａの側方から突設した給水配管Ｅの給水口部（図示しない）とを連絡した構成としている。
【０００３】
前記構成で手洗い付きロータンクＢの図示しない側面にある排水弁操作用ハンドルレバーの操作すると、手洗い付きロータンクＢ内に貯溜した洗浄水の水頭圧により洗浄水が吐出管Ｄを介して供給されて腰かけ式大便器Ａの洗浄が行われる。
【０００４】
【発明が解決しようとする課題】
しかし、従来の便器装置では、ロータンク、吐出管を壁体内に埋設状態に設置するため、建築躯体に対して加工を加えねばならず施工が大変面倒であった。また、実際の設置の際には便器の施工業者と建築業者との協業になるので作業分担も煩雑になり施工性が極めて悪かった。
また、ロータンクを腰掛け式大便器の側方に設置しただけなので、ロータンク内の洗浄水の重力エネルギーが、腰かけ式大便器にたどり着く距離が増えたことにより必要とされるエネルギー分だけ損失を生じる。
すなわち、従来に比べ洗浄に寄与するエネルギーが減るため十分な汚物洗浄が出来なかった。
そこで、本発明の目的は、トイレ空間における空間の自由度の向上を維持しつつ、非常に施工性に優れ、使い勝手も合わせて向上した便器装置を提供することである。
【０００５】
【課題を解決するための手段および作用・効果】
本発明は、ボウル部の上部に前記ボウル部へ洗浄水を吐出する吐出口を有する便器本体と、前記便器本体の側方の床面に配設され前記洗浄水を供給する洗浄水供給手段と、前記便器本体の後部側方に設けた洗浄水給水部と前記洗浄水供給手段とを連絡する洗浄水供給管と、を備えた便器装置であって、前記洗浄水供給手段が前記便器本体へ洗浄水を圧送する圧送手段を備えることを特徴とする。
本発明によれば、洗浄水供給手段を便器本体の側方の床面に配設するので、壁体を加工する必要がなく施工性が向上すると共にトイレ空間内の便器本体の長手方向をコンパクトにレイアウトできる。
また、洗浄水供給手段が便器本体へ洗浄水を圧送する圧送手段を備えるので、従来の便器装置のように所定の水頭圧を確保する必要がない。そのため、洗浄水供給手段の設置に制限がなく、トイレ空間のレイアウトの自由度が広がり、使い勝手が向上する。したがって、汚物の洗浄性能も十分に確保される。
【０００６】
また、本発明は、ボウル部の上部に前記ボウル部へ洗浄水を吐出する吐出口を有する便器本体と、前記便器本体の側方の床面に配設され前記洗浄水を供給する洗浄水供給手段と、前記便器本体の後部側方に設けた洗浄水給水部と前記洗浄水供給手段とを連絡する洗浄水供給管と、を備えた便器装置であって、前記洗浄水供給手段を床面に配設するための床面設置部を備え、この床面設置部の上に前記洗浄水供給手段を載設することを特徴とする。
本発明によれば、洗浄水供給手段を便器本体の側方の床面に配設し、洗浄水供給手段を配設するための床面設置部を備え、この床面設置部の上に前記洗浄水供給手段を載設するので、洗浄水供給手段が水頭圧を利用して洗浄水を便器本体に供給する洗浄タンクであっても壁体を加工する必要がなく施工性が向上すると共にトイレ空間内の便器本体の長手方向をコンパクトにレイアウトできる。
【０００７】
本発明の好ましい態様としては、前記洗浄水供給管を隠蔽部材により隠蔽し、この隠蔽部材の高さ寸法が前記便器本体の高さ寸法とほぼ同一であるようにする。
そうすることにより、便器装置全体として意匠性が向上すると共に、隠蔽部材の高さが便器本体の高さと同程度の低いものとなるので、便器に座居状態での使用時に各動作の最中に肘などが当たらず使い勝手がよい。また洗浄水供給管を使用者がさわれないのでいたずら防止になる。
なおここで、ほぼ同一とは座居状態で肘などが当たらない状態であり、また便器本体に付けられる便座、蓋の高さも加味した場合も含める。
【０００８】
また、本発明の好ましい態様としては、前記吐出口が前記ボウル部の後部で略水平方向に洗浄水を吐出するように設けられているようにする。
そうすることにより、洗浄水供給管からの流れに対して非常に抵抗が少ない。したがって、管路設計の自由度が上がり、ひいては洗浄水供給手段のレイアウトフリーの向上にもつながる。
【０００９】
また、本発明の好ましい態様としては、前記吐出口と前記洗浄水給水部とを別部材で構成する通水管で連絡するようにする。
そうすることにより、吐出口と洗浄水給水部と間の洗浄水の通路を便器本体と一体形成した場合に発生する陶器による誤差やバリを解消することができ、通水抵抗小となり、洗浄性能が向上する。
なお、通水管は洗浄水給水部から吐出口まで総ての範囲に配置される必要はなく、陶器による誤差やバリ等のある部分にあれば十分である。
また、通水管自体も洗浄水の入り口と出口が二次元方向であるので加工や水洗便器本体への取り付けもしやすい。
【００１０】
また、本発明の好ましい態様としては、前記洗浄水供給管が前記洗浄水給水部側、または前記洗浄水供給手段側に傾斜しているようにする。
そうすることにより、洗浄水供給管内の残水が便器本体側または洗浄水供給手段側へ排出されるので、結露防止になる。よって、便器着座時に女性のスカートなどの衣類が結露水で濡れることがなくなり、使い勝手が向上する。
また、傾ける方向の融通性が向上するので施工がより簡便になる。
【００１１】
また、本発明の好ましい態様としては、前記洗浄水供給管が前記洗浄水給水部側が下方位置となるように傾斜しているようにする。
そうすることにより、洗浄水供給管内の洗浄水の残水が便器本体側へ排出され、洗浄水供給管内の残水がなくなるので、結露防止になる。よって、便器着座時に女性のスカートなどの衣類が結露水で濡れることがなくなり、使い勝手が向上する。
【００１２】
【発明の実施の形態】
以下、図面に沿って発明内容を説明する。
図１に本発明に係る第１実施例である便器装置の上部から見た上部概略図、図２は図１の便器装置の後部から見た後部概略図を示す。図２では壁３５とドア３１、３２、３３、３４を省略した状態で示す。
【００１３】
図１ではドア３１、３２、３３、３４と壁３５とからなるブース４１、４２、４３、４４が形成されている。
また、ブース４１、４２、４３には便器本体５１、５２、５３が設置され、これら便器本体の側方に位置するブース４４に洗浄水供給装置５４が配置されている。洗浄水供給装置５４は洗浄水１００を貯溜する貯溜タンク１０１と、洗浄水１００を吸い上げ所定の便器本体へ向けて圧送する圧送ポンプ５５とから構成している。
また、図２より圧送ポンプ５５は、洗浄水供給管７２を介して便器本体５１、５２、５３の後部側方に設けた洗浄水給水部９１、９２、９３と接続されている。洗浄水供給管７２は各洗浄水給水部９１、９２、９３の上流側にそれぞれ開閉弁６１、切替弁６２、６３を備えている。
開閉弁６１は便器本体５１へ洗浄水を送る状態を開、止水している状態を閉とする。また、切替弁６２、６３はそれぞれ直下の便器本体へ送水可能な状態に流路を切り替えた場合を開とし、直下の便器本体へ送水せず下流側の切替弁または開閉弁へ向けて洗浄水を送水させる流路状態を閉と示す。
また、水洗便器５１、５２、５３および洗浄水供給装置５４は、いずれも床面８０に設置されている。
【００１４】
つぎに、実際の便器本体の洗浄動作について図３及び図４を用いて説明する。図３は本実施例において便器本体５１が洗浄される場合の各部の動きを示すチャート図である。図４は便器本体５１と５２の２台がほぼ同時に洗浄開始の指示を受けた場合の各部の動きを示すチャート図である。
【００１５】
まず、図３を用い便器１台が洗浄される場合の各部の動きについて説明する。便器本体５１の洗浄操作がなされるとその入力信号が図示しない制御部へ行き圧送ポンプ５５の動作を開始させ、同時に開閉弁６１を開、切替弁６２を開、６３を開とすることで、便器本体５１へ洗浄水が圧送され、図示しないボウル部を洗浄し汚物排出を行う。
なお、ここで洗浄水供給装置５４には貯溜タンク１０１に対して洗浄水１００を供給する図示しない給水管と、この給水管に組付けられて貯溜タンク１０１に所定量の水を供給するフロート付きのボールタップを有し、貯溜タンク１０１内の水位が低下すると自動的に洗浄水１００が供給される構成としている。
【００１６】
つづいて、図４を用い便器本体５１、５２がほぼ同時に洗浄開始の指示を受けた場合について説明する。
便器本体５１の洗浄開始の信号が発せられると、便器本体５１の洗浄開始信号が図示しない制御部へ送られ、便器本体５１の洗浄終了の信号制御部へ伝えられるまで他の便器洗浄の信号を入力受付禁止となっている。
よって、本実施例のように洗浄水圧送の準備段階または便器本体５１を洗浄中である△ｔ秒後に便器本体５２から洗浄開始信号が発せられると、あらかじめ図示しない制御部により設定されている入力受付禁止により、即座に便器本体５２を洗浄することはない。
すなわち、所定時間経過し便器本体５１の洗浄が終了したことを受けて先に設定されていた入力受付禁止が解かれ、便器本体５２に洗浄水が圧送される。
よって、２台同時に洗浄することがないので本実施例で用いている洗浄水供給装置５４内にある圧送ポンプ５５は必要以上に圧送能力の高い必要はない。
【００１７】
前記第１実施例では、複数の便器本体に対して共通の洗浄水供給装置を設け、この洗浄水供給装置が便器本体が設置されるブースの側方に設けているので、各ブース内の長手方向の寸法を短寸化でき、各ブース４１、４２、４３を広く使うことができ使い勝手が向上する。
また、各便器毎に給水の施工を実施することなく、洗浄水供給装置への給水のみ施工すればよいので、施工の省力化にもつながる。
更に躯体に何ら手を加えることがないので、非常に簡便である。
【００１８】
なお、本実施例では２種類の洗浄パターンしか示さなかったが、洗浄水供給管に備えられた開閉弁、切替弁のパターンと図示しない制御部の動作により多様なニーズに対応可能となる。
たとえば、便器本体５２、５３が同時使用されたときには、切替弁６３を開状態にし便器本体５３の洗浄を行い、その間図示しない制御部で他の便器の洗浄動作を禁止し、便器本体５３の洗浄後、先の洗浄動作禁止を解除し、切替弁６３を閉、切替弁６２を開とすることで便器本体５２を洗浄する、といったことにも対応できる。
なお圧送ポンプの能力の大きな洗浄水供給装置を使えば、上記したようなシーケンスを用いることなく、所望の切替弁を開状態とすることで、各便器を洗浄可能となるのは当然のことである。
また、本実施例において洗浄操作の信号は各ブースに設置された図示しないリモコン操作によって行なっているが、リモコン操作以外の態様も考えられる。
【００１９】
次に、本発明の第２実施例を示す便器装置の概略斜視図を図５に示す。また上部から見た上部概略図を図６に示す。第１実施例による便器装置と同一又は相当する構成要素には同一符号を付して詳細な説明を省略する。
図５及び図６に示す便器本体５１は、第１実施例の場合と異なり１台の洗浄水供給装置に対して１台のみの便器本体の構成となっている。
便器本体５１は汚物を受けるためのボウル部７０を備え、ボウル部７０の後方上部に１箇所の吐出口７１を備え、図６にて点線で示すように便器本体５１には吐出口７１と後方側部にある開口部である洗浄水給水部９１とを連絡する空洞状の連絡通路７６が一体成形されている。
洗浄水給水部９１には洗浄水供給管７２の一端が接続され、洗浄水供給管７２の他端は洗浄水供給装置５４’に連結している。
洗浄水供給装置５４’はトイレ空間の床面８０に対して床面設置部８１を介して支持固定されている。
洗浄水供給装置５４’は第１実施例と同様に、貯溜タンクに対して洗浄水を供給する図示しない給水管と、この給水管に組付けられて貯溜タンクに所定量の水を供給するフロート付きのボールタップを有し、貯溜タンク内の水位が低下すると自動的に洗浄水が供給される構成としている。
【００２０】
つぎに、本実施例での洗浄の動作について説明する。
洗浄水供給装置５４’内の洗浄水を便器本体５１へ吐出させる操作部となる、洗浄操作部７５が操作されると、洗浄水供給装置５４’の貯溜タンク内に溜められている洗浄水がその水頭圧により洗浄水供給管７２を介して便器本体５１の洗浄水給水部９１に供給され、連絡通路７６を介して吐出口７１よりボウル部７０へ吐出される。
【００２１】
よって、図６に示すように洗浄のための洗浄水供給装置を便器側方へ配置でき便器本体の長手方向コンパクト化を躯体に手を加えることなく実現できる。
また、本実施例に用いているボウル部７０の洗浄方法がボウル部７０の後部に設けた１個の穴すなわち吐出口７１からの略水平方向の吐出となっており、通常のボックスリムに形成されている小穴からの吐出ではないので、吐出までの必要エネルギーが少なくてすむ。
よって、洗浄水供給管などの管路設計の自由度向上にもつながり、ひいては洗浄水供給部５４’のレイアウトフリーの向上にも役立つ。
図６の矢印で示すＺＷ方向を側方、ＸＹ方向を前後の方向という。よって、Ｚ側に洗浄水供給部をおいても同様な効果が得られる。
【００２２】
次に、本発明の第３実施例を示す便器装置の一部概略拡大図を図７に示す。第２実施例による便器装置と同一又は相当する構成要素には同一符号を付して詳細な説明を省略する。
図７に示す便器本体５１は、ボウル部７０後部上端部に開口した１個の穴である吐出口７１を備え、その吐出口７１と便器本体５１の内部でつながる洗浄水給水部９１を側面に設けている。洗浄水給水部９１と吐出口７１とをつなぐ破線で示す連絡通路７６は便器本体５１と一体成形されている。
本実施例では前記連絡通路７６に別体の通水管７３が内在しているが、理解しやすくするために、便器本体５１に挿入前の状態を図示している。なお通水管７３は樹脂素材で構成している。
洗浄水給水部９１には便器本体５１へ洗浄水を供給する図示しない洗浄水供給装置につながる洗浄水供給管と連結している。
【００２３】
実際の洗浄動作は第２実施例と同様であり、図示しない洗浄水供給装置からの洗浄水が吐出口７１から吐出され、ボウル部７０内面を図中白抜き矢印に示すように略水平方向に進み、ボウル部７０内にある溜水１１０を旋回させるとともにボウル部７０の洗浄を行う。
本実施例では、洗浄水給水部９１と吐出口７１とをつなぐ連絡通路７６に通水管７３が挿入されており、吐出口７１から吐出される洗浄水１００は通水管７３の内部を通りボウル部７０に吐出する構成となっている。
【００２４】
したがって、洗浄水は陶器で形成されている洗浄水給水部９１と吐出口７１とをつなぐ連絡通路７６を通過せず、樹脂素材で形成された通水管７３の内面を通るので、陶器に比べバリなどもなく、加工性も良好であるので、洗浄水の洗浄能力アップにつながり、使い勝手が向上する。
なお、本実施例では通水管が固定式の場合を示したが、可撓性を備えた可撓管であれば、更に便器本体への組立性が向上し良い。
【００２５】
次に、本実施例における便器本体のボウル部の上端部形状の変形例について図８、図９を用いて説明する。
図８は、図９ともに本実施例におけるボウル部上端部、すなわち通称リム部に関する変形例である拡大断面図である。
図８では洗浄水が通過する導水部は略水平な棚部１４０とあふれ防止部１３０から形成されている。図中塗りつぶしで示す洗浄水１００は棚部１４０上を移動しつつ、順次図中白抜き矢印に示すようにボウル部７０下部側へ適量が垂下していき、ボウル部の全面を洗浄する。
また、図９は洗浄水が通過する導水部は、下方に向けて開口部１５０を備える形状のあふれ防止部１３１が備えられており、図８の変形例以上にボウル部の外への洗浄水のあふれ防止がなされる。
いずれの変形例の場合も、あふれ防止部上部の載置部１２０に便座が載置する形となっており、今まで通りの使い勝手は確保されている。
【００２６】
次に、本発明の第４実施例を示す便器装置の正面から見た概略図を図１０に示す。第２実施例による水洗便器と同一又は相当する構成要素には同一符号を付して詳細な説明を省略する。
図１０に示す便器本体５１は、洗浄水供給管７２を介して、側方に洗浄水１００を貯溜する貯溜タンク１０１と洗浄水１００を吸い上げ便器本体５１へ圧送する圧送ポンプ５５を備えた洗浄水供給装置５４を配設している。
なお、洗浄水供給装置５４には、貯溜タンク１０１に対して洗浄水１００を供給する図示しない給水管と、この給水管に組付けられて貯溜タンク１０１に所定量の水を供給するフロート付きのボールタップを有し、貯溜タンク１０１内の水位が低下すると自動的に洗浄水１００が供給される構成としている。
また、本実施例の洗浄水供給管７２は洗浄水供給装置５４側が下方位置となるように傾斜している。
【００２７】
したがって、便器本体への洗浄水の供給後、洗浄水供給管内の残水は圧送ポンプ側へ移動して残留することがない。
また、本実施例では洗浄水供給管を洗浄水供給装置側が低位置になるように配設したが、便器本体側へ傾けても同様の効果があり、両方どちらでも傾けることができるので融通性が向上し、施工がより簡便になる。
【００２８】
次に、本発明の第５実施例について説明する。
図１１に本発明に係る第５実施例を示した便器装置の概略斜視図を示す。第２実施例による便器装置と同一又は相当する構成要素には同一符号を付して詳細な説明を省略する。
この実施例の便器装置は、便器本体５１の側方に洗浄水供給装置５４’が配設され、洗浄水供給装置５４’は床面設置部８１の上部に載設支持されている。
洗浄水供給装置５４’は、貯溜タンクを有しこの貯溜タンクに対して洗浄用の水を供給する図示しない給水管と、この給水管に組付けられて所定量の水を供給するフロート付きのボールタップがあり、これらにより洗浄水供給装置に対して洗浄水を随時供給する。
また、洗浄水供給装置内の洗浄水は図示しない貯水機構を洗浄操作部７５により操作することにより貯溜タンク内の洗浄水水頭圧により洗浄水供給管７２へ所定量が排出するような構成になっている。
洗浄水供給装置５４’から吐出される洗浄水は、洗浄水供給管７２を介して便器本体５１へ供給され、最終的にボウル部７０に対して吐出される。
また洗浄水供給管７２は、隠蔽部材８５により隠蔽されており、隠蔽部材８５の高さは便器本体５１に便座１６０が載置された高さとほぼ同等である。
また、本実施例では洗浄水供給管が便器本体５１側が低い位置となるように傾けられている。
【００２９】
実際の洗浄時には、洗浄水供給装置に備えられた洗浄操作部を、便器本体に座ったままの状態で操作可能となるとともに、座居状態で洗浄操作部を操る際に隠蔽部材が邪魔にならず、肘などをぶつけることなく快適に操作できる。
また洗浄水供給管自体を使用者などの目に触れさすことがないので、いたずら防止の他、意匠性も向上する。
なお本実施例では隠蔽部材の高さは便器本体に便座が載置した状態と同程度にしているが、便蓋を加味した高さと同程度であっても同様の効果を得ることが出来る。
【００３０】
さらに、本実施例では前記洗浄水供給管が便器本体側へ傾いており、便器洗浄後に洗浄水供給管内の残水が便器本体側へ排出され、最終的にボウル部へ排出されるので、残水がなくなり結露が防止されるので使い勝手が向上する。
【図面の簡単な説明】
【図１】本発明の第１実施例である便器装置の上部概略図である。
【図２】本発明の第１実施例である便器装置の後部から見た後部概略図である。
【図３】本発明の第１実施例である便器装置が洗浄される場合の各部の動きを示すチャート図である。
【図４】便器本体５１と５２の２台がほぼ同時に洗浄開始の指示を受けた場合の各部の動きを示すチャート図である。
【図５】本発明の第２実施例を示す便器装置の概略斜視図である。
【図６】本発明の第２実施例を示す便器装置の上部から見た上部概略図である。
【図７】本発明の第３実施例を示す便器装置の一部概略拡大図である。
【図８】本発明の便器本体のボウル部上端部の拡大断面図の一変形例である。
【図９】本発明の便器本体のボウル部上端部の拡大断面図の一変形例である。
【図１０】本発明の第４実施例を示す便器装置の正面から見た概略図である。
【図１１】本発明の第５実施例を示す便器装置の概略斜視図である。
【図１２】従来の便器装置を示す概略図である。
【符号の説明】
Ａ…腰かけ式大便器
Ｂ…手洗い付きロータンク
Ｃ…壁体
Ｄ…吐出管
Ｅ…給水配管
３１、３２、３３、３４…ドア
３５…壁
４１、４２、４３、４４…ブース
５１、５２、５３…便器本体
５４、５４’…洗浄水供給装置
５５…圧送ポンプ
６１…開閉弁
６２、６３…切替弁
７０…ボウル部
７１…吐出口
７２…洗浄水供給管
７３…通水管
７５…洗浄操作部
７６…連絡通路
８０…床面
８１…床面設置部
８５…隠蔽部材
９１、９２、９３…洗浄水給水部
１００…洗浄水
１０１…貯溜タンク
１１０…溜水
１２０…載置部
１３０、１３１…あふれ防止部
１４０…棚部
１５０…開口部
１６０…便座
【図１】
2004060199.tif 000003
【図２】
2004060199.tif 000004
【図３】
2004060199.tif 000005
【図４】
2004060199.tif 000006
【図５】
2004060199.tif 000007
【図６】
2004060199.tif 000008
【図７】
2004060199.tif 000009
【図８】
2004060199.tif 000010
【図９】
2004060199.tif 000011
【図１０】
2004060199.tif 000012
【図１１】
2004060199.tif 000013
【図１２】
2004060199.tif 000014